(57)【要約】【課題】高さ調節機構を備えたスプリンクラーにおいて、構成部材の破損や異常音を生じないような衝撃緩和機構を有するスプリンクラーを提供するものである。【解決手段】本体が高さ方向に伸張して散水を行うスプリンクラー１において、スプリンクラー１の高さ調節機構１２が内筒３の上端に配設された上部ステー１３と、該ステーより該内筒の摺動方向下方に突設された調節ロッド１４と、該調節ロッド１４の下方に設けられた掛止体１９と、外筒２の外周面に高さ方向に関して摺動・掛止自在に嵌装された調節ステー１８と、該掛止体１９と調節ステー１８との間に介設された緩衝バネ２６とを備えた。【選択図】        図１
2004267915.tif 000002
【特許請求の範囲】
【請求項１】
本体が、地面に固定され送水パイプと連通される外筒と、外筒に摺動自在に嵌装された内筒からなり、該本体内に送水圧力がかかることにより内筒が所定高さまで上昇し、該内筒の上端に配設されたノズルにより散水を行うスプリンクラーにおいて、該本体の高さ調節機構が、内筒の上端に配設されたステーと、該ステーより内筒の摺動方向下方に突設されたロッドと、該ロッドの下方に設けられたロッド掛止部と、外筒の外周面に高さ方向に関して摺動・掛止自在に嵌装された外筒側掛止部と、該ロッド掛止部と外筒側掛止部との間に介設された緩衝体とからなることを特徴とするスプリンクラー。
【請求項２】
本体が、地面に固定され送水パイプと連通される外筒と、外筒に摺動自在に嵌装された内筒からなり、該本体内に送水圧力がかかることにより内筒が所定高さまで上昇し、該内筒の上端に配設されたノズルにより散水を行うスプリンクラーにおいて、該本体の高さ調節機構が、内筒の上端に配設されたステーと、該ステーより内筒の摺動方向下方に突設されたロッドと、該ロッドの高さ方向に関して位置調整可能なロッド掛止部と、外筒の外周面に配設された外筒側掛止部と、該ロッド掛止部と外筒側掛止部との間に介設された緩衝体とからなることを特徴とするスプリンクラー。
【発明の詳細な説明】
【０００１】
【発明の属する技術分野】
本発明は、送水圧により本体が高さ方向に伸張して散水を行うスプリンクラーの高さ調整機構の技術に関するものである。
【０００２】
【従来の技術】
従来から、摺動可能に嵌装された外筒と内筒の二本の異径筒からなる本体が、送水圧により高さ方向に摺動・伸張して散水を行うスプリンクラーの技術は公知となっている。
例えば、本体が常時地上に表出した（または埋設した）状態で配設され、送水時には更に高さ方向に伸張して散水作業を行うスプリンクラーが提案されている。該スプリンクラーには伸張ストローク（高さ）を調節する機構が設けられており、スプリンクラーの伸張ストロークが大きい場合、伸張ストロークによって本体上端に配設されたノズルの地上高も大きく変化し、結果として散水距離が大きく変化するため、使用状況に応じて散水距離を調節することができる（特許文献１参照）。
【０００３】
また、スプリンクラーの高さ方向への摺動・伸張おいて、従来の機構であれば、スプリンクラーの内筒の摺動動作により、特に上昇時において外筒と内筒の当接面が衝撃を受けることになる。この衝撃を緩和するために、外筒と内筒の間であって、外筒の内周面に設けられたストッパー下部に、内筒が挿通されたバネを有するスプリンクラーが提案されている（特許文献２参照）。
【０００４】
【特許文献１】
特開平６−２７７５６６公報
【特許文献２】
実開平６−５２９４６公報
【０００５】
【発明が解決しようとする課題】
しかし、従来のスプリンクラーにおいては以下のような課題があった。
すなわち、高さ調整機構を備えているスプリンクラーであっても、本体を構成する外筒と内筒を鎖等で連結し、該鎖の長さを調整することにより散水時のスプリンクラーの高さを調整していたため、送水圧の脈動によりスプリンクラーが上下に振動して、鎖から異常音が発生するという問題があった。
【０００６】
また、散水の方向を一定にするため、高さ方向に摺動する内筒が外筒に対して軸中心に回転しないようにする必要があるが、従来のスプリンクラーでは外筒の内周面に摺動方向にガイドを設け、内筒の外周面の摺動方向に該ガイドを嵌合する溝を形成するなど、製造コストの高い複雑な回り止め機構を配設する必要があった。
【０００７】
さらに、前記特許文献２で提案されたスプリンクラーは、内筒の上昇時に外筒と内筒の当接面がうける衝撃を緩和することはできるものの、スプリンクラーの高さ調整機構を備えていないため、スプリンクラーの高さを任意に調節することができないという問題があった。
【０００８】
そこで、本発明においては、スプリンクラーの高さ調整機構に関し前記従来の課題を解決するもので、構成部材の破損や異常音を生じないような衝撃緩和機構を備えたスプリンクラーを提供することを目的とするものである。
【０００９】
【課題を解決するための手段】
本発明の解決しようとする課題は以上の如くであり、次にこの課題を解決するための手段を説明する。
すなわち、請求項１においては、本体が、地面に固定され送水パイプと連通される外筒と、外筒に摺動自在に嵌装された内筒からなり、該本体内に送水圧力がかかることにより内筒が所定高さまで上昇し、該内筒の上端に配設されたノズルにより散水を行うスプリンクラーにおいて、該本体の高さ調節機構が、内筒の上端に配設されたステーと、該ステーより内筒の摺動方向下方に突設されたロッドと、該ロッドの下方に設けられたロッド掛止部と、外筒の外周面に高さ方向に関して摺動・掛止自在に嵌装された外筒側掛止部と、該ロッド掛止部と外筒側掛止部との間に介設された緩衝体とからなるものである。
【００１０】
また、請求項２においては、本体が、地面に固定され送水パイプと連通される外筒と、外筒に摺動自在に嵌装された内筒からなり、該本体内に送水圧力がかかることにより内筒が所定高さまで上昇し、該内筒の上端に配設されたノズルにより散水を行うスプリンクラーにおいて、該本体の高さ調節機構が、内筒の上端に配設されたステーと、該ステーより内筒の摺動方向下方に突設されたロッドと、該ロッドの高さ方向に関して位置調整可能なロッド掛止部と、外筒の外周面に配設された外筒側掛止部と、該ロッド掛止部と外筒側掛止部との間に介設された緩衝体とからなるものである。
【００１１】
【発明の実施の形態】
以下、添付図面を参照しながら、本発明の実施の形態について説明する。
図１は本発明に係るスプリンクラーの第一実施例を示す斜視図、図２は本発明に係るスプリンクラーの第一実施例を示す断面図、図３は本発明に係るスプリンクラーの第二実施例を示す斜視図、図４は従来のスプリンクラーを示す断面図である。
【００１２】
まず、本発明に係るスプリンクラー１の全体構成について、以下に説明する。図１および図２に示すように、スプリンクラー１の本体は外筒２と内筒３からなり、該内筒３の下端部にはガイド４が外嵌され、ガイド４の外周面は外筒２の内周面に当接して、外筒２に対して摺動自在に嵌装される。該外筒２の上端には外筒ソケット５の下部が外嵌され、この部位より水が漏れない構成となっている。該外筒ソケット５は、内周面の上部は雌螺子になっており、外周面が雄螺子に形成されたパッキンケース６と螺設される。該パッキンケース６は内周面にパッキン７を収納する溝が穿設され、該パッキン７が内筒３の外周面に摺動自在に当接するとともに、該当接部において水が漏れない構成となっている。該外筒ソケット５とパッキンケース６の螺設部上端には水が漏れないようにＯリング８が配設され、カバー９がＯリング８を下方に押し付けつつ嵌設される。
【００１３】
前記内筒３の上端部には内筒ソケット１０が螺設され、該内筒ソケット１０の上端にはノズル１１が配設される。該ノズル１１の形式は限定されず、散水時に回転・往復運動機構をもつものや複数のノズルを有するものなど使用状況に応じて適宜選択可能である。前記内筒ソケット１０の下端には弾性材料からなるクッションパッキン５０が嵌設され、送水終了後、内筒３が下降したときに衝突する内筒ソケット１０とカバー９の衝撃を緩和する。
【００１４】
次に、本発明の要部である高さ調節機構１２の第一実施例について説明する。該高さ調節機構１２は上部ステー１３、調節ロッド１４、中間部ステー１７、調節ステー１８、ロッド側掛止体１９、緩衝バネ２６等からなる。前記内筒ソケット１０上端より水平方向外側方に上部ステー１３が突設され、該上部ステー１３の先端部に調節ロッド１４上端がナット１５および座金１６により固定される。該調節ロッド１４は、ネジ杆にて構成され、上部ステー１３から内筒３の摺動方向に平行かつ下向きに突出しており、外筒上部に設けた前記外筒ソケット５より側方に突設された中間部ステー１７のガイド孔２０に摺動自在に貫装されている。なお、中間部ステー１７を省略した構成としても使用上問題がない。
【００１５】
外筒側掛止部である調節ステー１８は、平面視雨滴状のプレートで構成されて外筒２側に水平方向（摺動方向と直角方向）に配設され、一側の小径部に設けた掛止孔２１に調節ロッド１４を摺動可能に貫装するとともに、他側の大径部に設けた固定孔２２に外筒２を貫装する。該固定孔２２の内径は外筒２の外径と略同じ大きさであり、該固定孔２２の一部は切欠き部２３となって外方に縁部１８ａ・１８ａを突出して構成している。該縁部１８ａ・１８ａには水平方向に貫通して固定ボルト２４が配設され、該固定ボルト２４の頭部にはＬ字形ロッド（把手）２５が配設されている。そして、該固定ボルト２４をＬ字形ロッド２５を回して締め付けることにより固定孔２２の内径が小さくなり、調節ステー１８を外筒２の任意の高さに固定可能としている。つまり、前記Ｌ字形ロッド２５を手で握って回転させることにより、道具を使わずに調節ステー１８を固定・摺動させることが可能となるのである。なお、調節ステー１８の構造は本実施例に限定されるものではなく、カム等を用いて外筒２に掛止・摺動可能な構造とすることもでき、楔を挿入する等、掛止・摺動可能な構造を有しておれば同様の効果を奏する。
【００１６】
また、前記調節ロッド１４の下端部にはロッド掛止部である掛止体１９が配設されている。該掛止体１９の上部には、緩衝体として緩衝バネ２６が前記調節ステー１８との間に調節ロッド１４を通して伸縮自在に介設されている。なお、該緩衝バネ２６の一側下端は掛止体１９の上端部と当接されているが、該掛止体１９に固設される必要はない。また、緩衝バネ２６の代わりにゴム等の弾性体を用いることもできる。
【００１７】
そして、前記外筒２の下端部には連結部２７が嵌設され、地中に埋設、あるいは地上に表出した送水パイプ（図示せず）と連結して、水をスプリンクラー１内部に導入する。本実施例では該連結部２７をスプリンクラー１の下端に配置する構成としたが、スプリンクラー１の下端を閉塞し、外筒２の側面にフランジを設け、該フランジに連結部２７を配設する構成としてもよい。また、埋設作業を容易にするために閉塞したスプリンクラー１の下端を尖った形状としてもよい。
【００１８】
このような構成において、まず、送水パイプから送水された水がスプリンクラー１内に流入すると、その送水圧によりスプリンクラー１内部の圧力は上昇する。これを緩和すべくスプリンクラー１はその容積を大きくしようとするため、内筒３が摺動・上昇してスプリンクラー１が伸張する。このとき、内筒３に連動して上部ステー１３も上昇するが、調節ロッド１４の下端には緩衝バネ２６と掛止体１９が配設されているため、上部ステー１３はそれ以上上昇することができない。したがって、内筒３もそれ以上上昇できず、送水圧で掛止体１９は調節ステー１８下面に押し付けられたままの状態となる。つまり、結果としてスプリンクラー１の散水時における伸張ストロークは、図２中の前記調節ステー１８と掛止体１９間の調節ロッド１４の長さＬから、前記緩衝バネ２６の圧縮時の長さを引いた長さとなる。
【００１９】
本実施例においては、緩衝バネ２６を調節ロッド１４に介設したことで、送水圧に脈動が起こり、スプリンクラー１が高さ方向に振動しても、該緩衝バネ２６により衝撃が吸収され、前記掛止体１９の破損を防止できるのである。さらに、急激な水圧上昇により内筒３が急速に上昇した場合には、前記調節ステー１８下面に掛止体１９が押し付けられる際の衝撃を緩和することができる。また、固定ボルト２４を弛めて調節ステー１８を外筒２に沿って上下方向に位置調節し、スプリンクラー１の散水高さを決めて固定ボルト２４を締め付けることにより散水高さを設定することができる。さらに、中間部ステー１７と調節ステー１８との間、もしくは上部ステー１３と中間部ステー１７との間にナットを螺装固定して、スプリンクラー１の下降位置を設定することもできる。
【００２０】
また、本実施例に係る高さ調節機構１２は、内筒３の摺動方向にのみ動作する構成となっているため、内筒３は外筒２に対して軸中心に回転できず、上下摺動方向にのみ動作する。したがって、パッキン７への負担を軽減し、水漏れに対する耐久性を向上させることができる。
【００２１】
さらに、本発明に係る高さ調節機構の第二実施例について説明する。
図３に示すように、調節ステー２８を溶接等の方法で外筒２に固定し、調節ロッド２９に孔３０・３０・・・・・・が穿設される。そして、該調節ロッド２９の下部に配設された掛止体３１と、前記孔３０を貫通するロッド掛止部となるピン３２で調節ステー２８の任意の位置に該掛止体３１を掛止・摺動させることによって、図１の第一実施例と同様の効果を奏する。特に、前記孔３０の穿設位置により、散水高さを無段階で調節でき、かつ、前記ピン３２によりワンタッチで散水高さを調節できるという点で有効である。なお、掛止体３１の掛止方法は本実施例に限定されるものではなく、調節ステー２８の任意の位置に掛止・摺動させる機構であれば同様の効果を奏する。
【００２２】
次に、従来のスプリンクラー３３の全体構成について、以下に説明する。
図４に示すように、スプリンクラー３３の本体は外筒３４と内筒３５からなり、該内筒３５の下端部にはガイド３６が外嵌され、ガイド３６の外周面は外筒３４の内周面に当接して、外筒３４に対して摺動自在に嵌装される。該外筒３４の上端には外筒ソケット３７の下部が外嵌され、この部位より水が漏れない構成となっている。また、外筒ソケット３７の内周面のうち、上部は雌螺子になっている。
【００２３】
パッキンケース３８は本発明のパッキンケース６とカバー９を一体化した形状をしており、内周面にパッキン３９を収納する溝が穿設され、該パッキン３９が内筒３５の外周面に摺動自在に当接するとともに、該当接部において水が漏れない構成となっている。また、該パッキンケース３８の外周面は雄螺子になっており、前記外筒ソケット３７に螺設される。該外筒ソケット３７とパッキンケース３８の螺設部上端には水が漏れないようにＯリング４０が配設され、パッキンケース３８の上部がＯリング４０を下方に押し付ける構成となっている。前記内筒３５の上端部には内筒ソケット４１が螺設され、該内筒ソケット４１の上端にはノズル１１が配設される。内筒ソケット４１の下端には弾性材料からなるクッションパッキン５１が嵌設され、送水終了後、内筒３５が下降したときに内筒ソケット４１とパッキンケース３８が衝突する衝撃を緩和する。
【００２４】
また、スプリンクラー３３の高さ調節機構４２は、上部ステー４３、下部ステー４４、シャックル４５ａ、シャックル４５ｂ、チェーン４６、止めピン４７、止め輪４８等からなる。該上部ステー４３は、内筒ソケット４１より側方に突設され、シャックル４５ａを連結するための孔が設けられている。下部ステー４４は、外筒ソケット３７より側方に突設され、シャックル４５ｂを連結するための孔が設けられており、チェーン４６がシャックル４５ａおよびシャックル４５ｂと繋がれる。
【００２５】
スプリンクラー３３の高さを調節するときは、止め輪４８の付いた止めピン４７を外し、前記シャックル４５ｂをチェーン４６の所定の位置に通した後下部ステー４４に通し、止めピン４７を取り付ける。したがって、該チェーン４６により内筒３５の上昇量が規制され、該チェーン４６の取り付け態様によりスプリンクラー３３の高さが決まる。なお、止め輪４８には紐等の一端を結んでおき、他端側を外筒３４に結んでおけば紛失防止になる。また、調節ネジ５２によっても内筒ソケット４１の高さを微調整できる。
【００２６】
このような構成においては、本発明に係るスプリンクラー１と比較して、以下のような相違がある。
すなわち、スプリンクラー３３の場合、高さ調節機構４２にチェーン４６を用いるため、送水圧の脈動により内筒３５が上下振動したときの異常音が大きい。また、異常音の発生を簡便な方法で抑制するのも困難である。一方、本発明に係るスプリンクラー１の場合は、内筒３の上下振動で衝突を繰り返す可能性のある金属等からなる部品は掛止体１９上端と調節ステー１８下面のみであり、該部位に前記緩衝バネ２６を配設することにより、異常音の発生を抑えることができるのである。
【００２７】
また、前記スプリンクラー３３の場合、内筒３５の回転を防止するため、図４に示すように外筒３４の内周面に摺動ガイド４９を設け、該摺動ガイド４９と同形状の溝をガイド３６に設ける必要があった。この加工は外筒３４の内部で溶接するなど煩雑であった。これに対して本発明のスプリンクラー１の場合は、高さ調節機構１２それ自体が内筒３の回転防止機能も有しており、組立・加工コストを軽減できるのである。
【００２８】
【発明の効果】
本発明は、以上のように構成したので、以下に示すような効果を奏する。
すなわち、請求項１に示すように、本体が、地面に固定され送水パイプと連通される外筒と、外筒に摺動自在に嵌装された内筒からなり、該本体内に送水圧力がかかることにより内筒が所定高さまで上昇し、該内筒の上端に配設されたノズルにより散水を行うスプリンクラーにおいて、該本体の高さ調節機構が、内筒の上端に配設されたステーと、該ステーより内筒の摺動方向下方に突設されたロッドと、該ロッドの下方に設けられたロッド掛止部と、外筒の外周面に高さ方向に関して摺動・掛止自在に嵌装された外筒側掛止部と、該ロッド掛止部と外筒側掛止部との間に介設された緩衝体とからなるので、内筒が上昇することによる掛止部の衝突を緩和し、該掛止部の破壊や高さ調節機構で発生する異常音を抑制することができる。また、高さ調節機構が内筒の回転防止機能を兼ねているため、複雑な加工を必要とする従来の回転防止機構を省略し、コスト軽減が可能である。
【００２９】
また、請求項２に示すように、本体が、地面に固定され送水パイプと連通される外筒と、外筒に摺動自在に嵌装された内筒からなり、該本体内に送水圧力がかかることにより内筒が所定高さまで上昇し、該内筒の上端に配設されたノズルにより散水を行うスプリンクラーにおいて、該本体の高さ調節機構が、内筒の上端に配設されたステーと、該ステーより内筒の摺動方向下方に突設されたロッドと、該ロッドの高さ方向に位置調整可能なロッド掛止部と、外筒の外周面に配設された外筒側掛止部と、該ロッド掛止部と外筒側掛止部との間に介設された緩衝体とからなるので、内筒が上昇することによる掛止部の衝突を緩和し、該掛止部の破壊や高さ調節機構で発生する異常音を抑制することができる。また、高さ調節機構が内筒の回転防止機能を兼ねているため、複雑な加工を必要とする従来の回転防止機構を省略し、コスト軽減が可能である。さらに、ワンタッチでスプリンクラーの散水高さを無段階に調節することができる。
【図面の簡単な説明】
【図１】本発明に係るスプリンクラーの第一実施例を示す斜視図。
【図２】本発明に係るスプリンクラーの第一実施例を示す断面図。
【図３】本発明に係るスプリンクラーの第二実施例を示す斜視図。
【図４】従来のスプリンクラーを示す断面図。
【符号の説明】
１  スプリンクラー
２  外筒
３  内筒
１１  ノズル
１２  高さ調節機構
１３  上部ステー
１４  調節ロッド
１８  調節ステー
１９  掛止体
２６  緩衝バネ
２８  調節ステー
２９  調節ロッド
３１  掛止体
【図１】
2004267915.tif 000003
【図２】
2004267915.tif 000004
【図３】
2004267915.tif 000005
【図４】
2004267915.tif 000006